(57)【特許請求の範囲】
【請求項１】
プリピットを用いて各種の制御情報が記録されたピット記録領域と、案内溝を有するユーザー記録領域とを有し、前記ユーザー記録領域のトラックがグルーブ方式で形成され、前記プリピットと前記グルーブの位相深さが略同一であり、再生光源の波長をλとした時に、この位相深さがλ／１０以下であることを特徴とする光情報記録媒体。
【請求項２】
プリピットを用いて各種の制御情報が記録されたピット記録領域と、案内溝を有するユーザー記録領域とを有し、前記ユーザー記録領域のトラックがグルーブ方式で形成されている光情報記録媒体の記録再生装置において、
前記ピット記録領域からの情報をタンジェンシャル・プッシュプル再生信号で検出し、前記ユーザー記録領域からの情報を総和信号で検出して、復号化する復号化手段を備えたことを特徴とする記録再生装置。
【請求項３】
前記復号化手段は、前記タンジェンシャル・プッシュプル信号から所望のパーシャルレスポンス特性を得る波形等化回路を有していることを特徴とする請求項２記載の記録再生装置。
【請求項４】
前記復号手段は、ビタビ復号器であることを特徴とする請求項２又は３記載の記録再生装置。
【請求項５】
前記パーシャルレスポンス特性に等化するパーシャルレスポンス多項式は、１+Ｄ−Ｄ2−Ｄ3であることを特徴とする請求項３又は４記載の記録再生装置。
【発明の詳細な説明】
【０００１】
【発明の属する技術分野】
本発明は、光ディスク、光カード等の光情報記録媒体及びその記録再生装置に関する。
【０００２】
【従来の技術】
記録可能な光ディスクにおいて、ディスクの領域は、ユーザー記録領域と各種の制御情報が記録されたピット記録領域とに分けられている。制御情報には、ユーザー記録領域のアドレスに関する情報、推奨記録パワー・記録波形等の情報、ディスクの来歴（製造会社等の情報）、あるいはコピー管理ないし不正コピー防止のための情報がある。
【０００３】
これらの制御情報の内のうち、どの情報を記録するか、あるいはその記録方法については、ユーザー領域のフォーマットにより異なっている。
ユーザー記録領域には、トラッキングのためのグルーブが形成されているが、フォーマット方式には、このグルーブのみに記録を行うグルーブ方式と、グルーブ及びランドの両方に記録を行うランドグルーブ方式がある。
【０００４】
グルーブの物理的形状に着目した場合、この両者には２つの違いがある。
第１は、グルーブ方式の方がランドグルーブ方式よりも物理的なトラックピッチが狭いことである。
ランドグルーブ方式の場合は、情報から見たトラックピッチは、ランドないしグルーブの幅であるが、物理的なトラックピッチはその両者の和になるからである。これに対して、グルーブ方式の場合は、物理的なトラックピッチと情報から見たトラックピッチが一致する。そして、情報を記録するグルーブの幅は、トラックピッチの半分程度になっているので、ランドグルーブ方式の場合の半分程度になる。
【０００５】
第２は、グルーブ方式の方がランドグルーブ方式よりもグルーブの位相深さが浅いことである。
ランドグルーブ方式の場合は、ランドからグルーブあるいはその逆の再生時のクロストークを低く押さえるために、約λ／６の位相深さのグルーブが利用される。ここで、λは、再生光源の波長である。一方、グルーブ方式の場合は、グルーブ幅が細いので、記録された信号の再生出力が低くなるため、より浅い位相深さのグルーブが採用される。この深さは、典型的には、λ／８以下の深さである。位相深さは、ディスクシステムによっても変わってきて、たとえば、光磁気方式のディスクでは、λ／８程度の位相深さのグルーブが用いられている。さらに、ＣＤ−ＲＷ、ＤＶＤ−ＲＷ等の相変化型のディスクにおいては、より浅いλ／１０以下、望ましくはλ／１５の位相深さのグルーブが利用される。後者において、グルーブの位相深さを浅くしているのは、ＲＯＭ型のディスクと、信号の互換性を取る必要性があるからである。さらに、次世代型の波長が約４００ｎｍの半導体レーザを用いたシステムにおいては、再生信号を高くするために、やはりλ／１０以下、望ましくはλ／１３〜λ／２０の浅いグルーブが用いられる。
【０００６】
次に、ランドグルーブ方式よりもグルーブ方式の方が有望な理由について以下に説明する。
ランドグルーブ方式は、ランド或いはグルーブの記録再生時でのフォーカスないしトラッキングサーボ系で最適動作点を与えるオフセットの量が異なるという厄介な問題がある。
一方、グルーブ方式は、内周から外周に向かって一筆書きで描かれたグルーブの上に記録していくために、フォーマットがシンプルになり、ディスクの記録再生時の動作がシンプルになる。そして、ＲＯＭ型のディスクもこのような、一筆書きで書かれているため、ＲＯＭ型ディスクと記録型ディスクの間で、フォーマットの互換性を取ることが容易である。
【０００７】
また、ランドグルーブ方式のように、フォーカス系或いはトラッキングサーボ系で最適動作点を与えるオフセット量が異なるといった問題もない。
このため、次世代のフォーマットとしては、グルーブ方式が有望となっている。
このグルーブ方式の記録再生方法としては、光情報記録媒体上に内周側から外周側に向かって順にＰＣＡ、ＰＭＡ、アドレス情報と記録再生に必要な制御情報がプリフォーマット情報として蛇行したプリグルーブに重畳されたＬｉｎ領域、プリグルーブで構成されたユーザー情報が記録されたプログラムエリア、Ｌｏｕｔの各領域が設けられ、プリフォーマット情報に同期して、光情報記録媒体の回転数とデータを記録するパルスを制御して記録再生を行うことが特開平１０−２２２８７４号公報に開示されている。
そして、プリグルーブは、所定周波数を有する基準信号にアドレス情報と制御情報とが合成された信号に基づいて蛇行状にウォブルされている。
【０００８】
【発明が解決しようとする課題】
しかしながら、制御情報がウォブルされて記録されると、グルーブを高速にウォブリングすることが難しいため、記録できる情報量が少なくなるといった問題を生じていた。
この対策として、ランドグルーブ方式のようにピットを用いて記録することが考えられた。
【０００９】
ここにおいて、ピットとグルーブは、ガラス原盤に塗布されたフォトレジストに原盤記録機で記録されるため、同一の深さにされることが望ましい。このように記録された原盤を元にして、樹脂製のディスクが製造される。樹脂の成型時の転写性その他が、ピットとグルーブで僅かに違うが、ピットとグルーブの位相深さは、略同一になる。
このようにして製造されたディスクであって、グルーブとピットの位相深さがλ／１０以下で、かつ、グルーブとピットの位相深さが同じである場合、位相深さが浅いため、ピットから非常に小さな再生信号しか得られず、Ｓ／Ｎ比が不足して、復号するに値する信号が得られない。
また、グルーブとピットの深さを異ならせると、光情報記録媒体の製造工程が復雑となるので、生産性が低下する。
【００１０】
そこで、本発明は、上記のような問題点を解消するためになされたもので、大容量の情報を記録でき、良好な復号化ができる光情報記録媒体及びその記録再生装置を提供することを目的とする。
【００１１】
【課題を解決するための手段】
本発明の光情報記録媒体の第１の発明は、プリピットを用いて各種の制御情報が記録されたピット記録領域と、案内溝を有するユーザー記録領域とを有し、前記ユーザー記録領域のトラックがグルーブ方式で形成され、前記プリピットと前記グルーブの位相深さが略同一であり、再生光源の波長をλとした時に、この位相深さがλ／１０以下であることを特徴とする。
第２の発明の記録再生装置は、プリピットを用いて各種の制御情報が記録されたピット記録領域と、案内溝を有するユーザー記録領域とを有し、前記ユーザー記録領域のトラックがグルーブ方式で形成されている光情報記録媒体の記録再生装置において、前記ピット記録領域からの情報をタンジェンシャル・プッシュプル再生信号で検出し、前記ユーザー記録領域からの情報を総和信号で検出して、復号化する復号化手段を備えたことを特徴とする。
第３の発明は、請求項２記載の記録再生装置において、前記復号化手段は、前記タンジェンシャル・プッシュプル信号から所望のパーシャルレスポンス特性を得る波形等化回路を有していることを特徴とする。
第４の発明は、請求項２又は３記載の記録再生装置において、前記復号手段は、ビタビ復号器であることを特徴とする。
第５の発明は、請求項３又は４記載の記録再生装置において、前記パーシャルレスポンス特性に等化するパーシャルレスポンス多項式は、１+Ｄ−Ｄ2−Ｄ3であることを特徴とする。
【００１２】
【発明の実施の形態】
本発明の光情報記録媒体およびその記録再生装置の実施形態について以下図１乃至図１３を用いて説明する。
まずは、本発明の光情報記録媒体の実施形態について図１及び図２を用いて説明する。
図１は、本発明の実施形態の光情報記録媒体を示す平面図である。
図２は、図１に示す光情報記録媒体のユーザー記録領域とピット記録領域との境界近傍を示す拡大平面図である。
【００１３】
図１及び図２に示すように、光ディスク等の光情報記録媒体１は、この中心近傍にプリピットを用いて各種の制御情報が記録されたピット記録領域２と、このピット記録領域２の外側に隣接して、案内溝を有するユーザー記録領域３とからなる。また、ユーザー記録領域３は、グルーブ方式により形成されている。そして、プリピットとグルーブの位相深さが略同一であり、再生光源の波長をλとした時に、その位相深さがλ／１０以下である。
これは、この位相深さがλ／１０以下である場合には、再生信号出力を大きくすることができるためである。実用レベルの再生信号出力を得ることを考慮すると、プリピットとグルーブの位相深さは、λ／１３以下が良い。更に、良好なトラッキングエラー信号を得るためには、λ／２０以上が必要となる。このことから、実用レベルの再生信号出力を得ると共に良好なトラッキングエラー信号を得るためには、プリピットとグルーブの位相深さは、λ／１３〜λ／２０の範囲が良い。
制御情報には、ディスクフォーマット、アドレスの構成などの記録再生の制御に用いる情報、ディスクＩＤ、製造業者名等のコピープロテクトあるいは、コピーの管理、コピーの防止・コンテンツ保護のために用いる情報、最適記録パワー、最適記録ストラテジー、最適再生パワー等の記録あるいは再生の制御情報がある。
又、一部の制御情報は、ユーザー記録領域３と同様な記録方法によってピット記録領域２に記録されることもある。
このように、光情報記録媒体１は、ピット記録領域２にプリピットを用いて制御情報が記録され、ユーザー記録領域３に案内溝を有して形成された構成を有しているので、ユーザー記録領域３に大容量の情報を記録できる。
なお、ピット記録領域２は、中心近傍以外にあっても良い。
【００１４】
次に、この光情報記録媒体１の記録再生装置について図３を用いて説明する。
図３は、光情報記録媒体の記録再生装置を示す図である。
記録再生装置４は、半導体レーザ等からなる光源５と、この半導体レーザ５から出射する光を集光するコリメーターレンズ６と、このコリメーターレンズ６を通過した光を偏光分離する偏光ビームスプリッタ７と、この偏光ビームスプリッタ７で分離された光を反射するプリズム８と、このプリズム８によって反射された光を光情報記録媒体１に集光する対物レンズ９と、対物レンズ９、プリズム８及び偏光ビームスプリッタ７を通過した光情報記録媒体１からの反射光に非点収差を発生させるための復数のシリンドリカルレンズ１０と、シリンドリカルレンズ１０を通過した光情報記録媒体１からの反射光を受光する光検出器１１とからなる。
【００１５】
光検出器１１は、トラックの接線方向とこれに直交するタンジェンシャル方向とに分割された４領域Ａ、Ｂ、Ｃ、Ｄを有する。
ユーザー記録領域３のユーザー情報は、この４領域Ａ、Ｂ、Ｃ、Ｄからそれぞれ出力される信号ａ、ｂ、ｃ、ｄの総和信号（ａ＋ｂ＋ｃ＋ｄ）で検出される。この検出方法は、総和検出法と呼ばれている。
トラッキングエラー信号は、トラックの接線方向に分割した２領域の差信号（ａ＋ｂ）−（ｃ＋ｄ）で検出される。同時に、この信号から、ウォブリングにより記録されたアドレス情報も検出される。
【００１６】
フォーカスエラー信号は、対角方向の差信号（ａ＋ｃ）＋（ｂ＋ｄ）で検出される。
ピット記録領域２におけるピット信号は、トラックと直交するタンジェンシャル方向に分割された２領域の差信号（ａ＋ｄ）−（ｂ＋ｃ）で検出される。この検出方法は、タンジェンシャル・プッシュプル検出法（以下、ＰＰ検出法という）と呼ばれている。
以下では、前記した差信号（ａ＋ｄ）−（ｂ＋ｃ）をタンジェンシャル・プッシュプル再生信号という。
【００１７】
この記録再生装置４は、以下のようにして動作する。
再生する場合には、光源５から出射した光をコリメーターレンズ６、偏光ビームスプリッタ７、プリズム８及び対物レンズ９を介して光情報記録媒体１に照射し、この光情報記録媒体１からの反射光を対物レンズ９、プリズム８、偏光ビームスプリッタ７及びシリンドリカルレンズ１０を介して光検出器１１で受光させ、この光検出器１１の４分割された領域からの信号を演算することによって、ユーザー情報、トラッキングエラー信号、フォーカスエラー信号、ピット信号を得る。
また、記録する場合には、光源５から記録光をコリメーターレンズ６、偏光ビームスプリッタ７、プリズム８及び対物レンズ９を介して光情報記録媒体１に照射して記録する。
【００１８】
ここで、総和検出法とＰＰ検出法を用いた時のピットの位相深さに対する再生信号出力及び規格化空間周波数に対する再生信号出力について調べた。
この際、ピットは、矩形である。規格化空間周波数は、開口数ＮＡ、波長λ及び光情報記録媒体１の線速度によって決まる。
図４は、ピットの位相深さに対する再生信号出力を示す図である。
図４中、横軸は、ピットの位相深さ（λ）、縦軸は、再生信号出力である。
図５は、規格化空間周波数に対する信号出力を示す図である。
図５中、横軸は、規格化空間周波数、縦軸は、再生信号出力である。
また、図４及び図５中、実線は、ＰＰ検出法の場合、点線は、総和検出法の場合を示す。
【００１９】
図４に示すように、総和検出法では、再生信号出力は、ピットの位相深さが深くなるにつれて増加し、λ／４で最大になり、その後減少する。
一方、ＰＰ検出法では、再生信号出力は、ピットの位相深さが深くなるにつれて、増加し、λ／８で最大になり、その後減少する。
そして、再生信号出力は、ピットの位相深さが０．１７５λまではＰＰ検出法の方が総和検出法よりも大きい。
このことから、ピットの位相深さが０．１７５λ以下である場合には、ＰＰ検出法の方が総和検出法よりも、大きな再生信号出力が得られることがわかる。
このように、光情報記録媒体１のピットの位相深さがλ／１０以下の場合、ＰＰ検出法の方が総和検出法よりも大きな再生信号出力が得られる。また、ピット位相深さがλ／１３〜λ／２０の範囲であれば、良好な再生信号出力が得られると共に良好なトラッキングエラー信号も得られる。
【００２０】
また、図５に示すように、総和検出法では、再生信号出力は、規格化空間周波数の増加と共に単調に減少する。
一方、ＰＰ検出法では、再生信号出力は、規格化空間周波数の増加に伴って増加し、０．９で最大になり、その後減少する。
このように、ＰＰ検出法は、総和検出法に比べて、低域成分が欠落した微分検出に近い特性であるので、この特性に適合したパーシャルレスポンス特性を用いて光情報記録媒体１の再生を行えば、誤り率を十分に押さえたピット再生が可能となる。
【００２１】
次に、図３を用いて説明した記録再生装置４を用いてＰＰ検出法と総和検出法による再生信号検出と復号化について、図６乃至図８を参照して説明をする。
この際、ピットの位相深さは、０．１７５λ以下である。
図６は、ＤＶＤの場合の再生信号振幅を示し、（ａ）はＰＰ検出法による再生信号振幅を示す図であり、（ｂ）は、総和信号法による再生信号振幅を示す図である。
図６中、横軸は、時間、縦軸は、再生信号振幅である。
図７は、ＰＰ検出法と総和検出法により得られる再生信号のパワースペクトルを示す図である。
図７中、横軸は、周波数、縦軸は、パワースペクトルの大きさである。
図８は、タンジェンシャル・プッシュプル再生信号を復号化する復号化回路を示す図である。
【００２２】
図６（ａ）、（ｂ）に示すように、再生信号振幅は、ＰＰ検出法の方が総和検出法に比較して、大きく、また、図７に示すように、雑音に対する信号比は、ＰＰ検出法の方が総和検出法よりも大きく、前記したと同様に、ＰＰ検出法によれば、良好な再生出力信号が得られることがわかる。
【００２３】
次に、復号化回路１２について説明する。
復号化回路１２は、図３に示した記録再生装置４の光検出器１１から得られるタンジェンシャル・プッシュプル再生信号のパワースペクトル補正を行ってパーシャルレスポンス（以下、ＰＲという）特性に等化した再生信号を出力する波形等化回路１３と、このパーシャルレスポンス特性に等化した再生信号をサンプリングするビットクロックを出力するＰＬＬ回路１４と、このビットクロックと同期して波形等化回路１３から出力されるパーシャルレスポンス特性に等化した再生信号を用いて、復号化を行うビタビ復号器１５とからなる。
なお、波形等化回路１３の入力とビタビ復号器１５との間にデジタル化を行うＡ／Ｄ変換手段等が必要であるが、任意の箇所に設けることが可能であり、図中では省略されている。
パワースペクトル補正とは、光学系によって決まる空間周波数帯域制限に基づいて、所望のパーシャルレスポンス特性が得られるようにすることである。
【００２４】
ピット記録領域２の再生信号の復号化は以下のようにして行われる。
波形等化回路１３にタンジェンシャル・プッシュプル再生信号を入力して、所望のパーシャルレスポンス特性に等化した再生信号を出力し、次に、ビットクロックとＰＬＬ回路１４でこのパーシャルレスポンス特性をサンプリングするビットクロックを出力し、このビットクロックに同期させて波形等化回路１３から出力される信号をビタビ復号器１５に供給し、このパーシャルレスポンス特性をサンプリングして復号化が行われる。
また、ユーザー記録領域３の復号化もタンジェンシャル・プッシュプル再生信号の代わりに総和信号を用いて同様にして行うことができる。
【００２５】
ここで、ＤＶＤ（ディジタル  バーサタイル  ディスク）の場合のタンジェンシャル・プッシュプル再生信号を用いたピット記録領域２の復号化方法について図９乃至図１１を用いて具体的に説明する。
図９は、ＰＲ（１、１、０、−１、−１）特性の信号のパワースペクトルを示す図である。
図９中、横軸は、周波数、縦軸は、パワースペクトルの大きさである。
図１０は、図９のパワースペクトルを持つ波形のサンプリング点をプロットしたアイパターンを示す図である。
図１０中、横軸は、時間、縦軸は、再生信号出力である。
図１１は、ＰＲ（１、１、０、−１、−１）に好適なビタビ復号器の状態遷移図である。
【００２６】
まず始めに、図７に示すように、空間周波数帯域のカットオフが約６ＭＨｚであるので、図９に示すＰＲ（１、１、０、−１、−１）特性と等化にするために、波形等化回路１３を用いて、タンジェンシャル・プッシュプル再生信号からパワースペクトル補正を行って、所望のパーシャルレスポンス特性に等化した再生信号にした後、この空間周波数帯域における６ＭＨｚから８ＭＨｚの帯域をブーストする。
この場合、ビットクロック周波数は、ＤＶＤで用いられているクロック周波数２６．１６ＭＨｚである。
【００２７】
次に、ＰＬＬ回路１４から出力されるビットクロックと波形等化回路１３から出力される図９に示すパワースペクトルのサンプリングを行って、図１０に示すようにＰＲ（１、１、０、−１、−１）特性の５点に対応したアイパターンを得る。
この後、図１１に示すＰＲ（１、１、０、−１、−１）に対応した８状態の状態遷移を有するビタビ復号器１５で復号化する。
また、ユーザー記録領域３の復号化もタンジェンシャル・プッシュプル再生信号の代わりに総和信号を用いて同様にして行うことができる。
【００２８】
このように、中心近傍にプリピットを用いて、各種の制御情報が記録されたピット記録領域２と、この外側に隣接して案内溝を有するユーザー記録領域３とを有し、ユーザー記録領域３のトラックがグルーブ方式で形成されている光情報記録媒体１を再生する際に、ピット記録領域２からのの情報をタンジェンシャル・プッシュプル再生信号で検出し、ユーザー記録領域３からの情報を総和信号で検出して復号化するビタビ復号器１５を備えているので、良好な復号化を行うことができる。
【００２９】
また、光情報記録媒体１は、この中心近傍にプリピットを用いて各種の制御情報が記録されたピット記録領域２と、この外側に隣接して案内溝を有するユーザー領域３とを有するので、このユーザー領域３に記録できる情報を大幅に増やすことができる。
【００３０】
タンジェンシャル・プッシュプル再生信号の再生特性は光伝送路の帯域がビットクロックの所定帯域で制限されるので、これをパーシャルレスポンス特性に等化するにはＰＲ（１、１、０、−１、−１）のようにインパルスレスポンス長が長い、すなわちパーシャルレスポンス多項式の次数が高いパーシャルレスポンスに等化することが必要である。ＤＶＤの場合には、この帯域は、ビットクロックの略１／４の帯域に制限される。そして、ＰＲ（１、１、０、−１、−１）は、１＋Ｄ−Ｄ3−Ｄ4で表すことができる。
Ｄは、１ビットの時間遅延を持つ演算子である。
【００３１】
一方、総和信号では、ＰＲ（ｐ、ｑ、ｑ、ｐ）のようにｐ＋ｑＤ＋ｑＤ2＋ｐＤ3（ｐ、ｑは自然数）のような３次のパーシャルレスポンス多項式による等化特性で検出、復号して回路構成を簡略にすることが一般的に行われている。そこで、タンジェンシャル・プッシュプル再生信号にも３次のパーシャルレスポンス多項式に等化できれば復号器の共用化することができるので、回路構成の簡略化が図れる。
【００３２】
次に、ピット記録領域２のピット長を基準ピットの２倍で記録された信号を再生する場合、タンジェンシャル・プッシュプル再生信号の検出を総和信号の検出と共通して復号化を行うことについて図１２及び図１３を用いて説明する。
図１２は、ＰＲ（１、１、−１、−１）特性の信号のパワースペクトルを示す図である。
図１３は、ビタビ復号器の遷移状態を示し、（ａ）はＰＰ再生信号におけるＰＲ（１、１、−１、−１）の状態遷移図であり、（ｂ）は総和信号におけるＰＲ（１、１、１、１）の状態遷移図である。
【００３３】
ＰＲ（１、１、−１、−１）特性とは、いわゆるＥＰＲ４特性である。
ＰＲ（１、１、−１、−１）は、３次のパーシャルレスポンス多項式を用いて１＋Ｄ−Ｄ2−Ｄ３で表わすことができる。
図１２に示すように、ＥＰＲ４特性は、ビットクロックの略１／２の周波数帯域を必要とする。
さて、図７に示したＰＰ再生信号のパワースペクトルは、ＥＰＲ４のパワースペクトルとほぼ等しくなるので、ピット長を２倍にし、ビットクロックを１／２にすることによって、ＥＰＲ４特性に波形等化することができる。
【００３４】
ビットクロックを１／２にすることは、図８のようにプリピット領域であることを示す再生エリア情報を用いて、図示せぬシステムコントローラ手段等を用いて、クロックを１／２に分周することによって可能である。
【００３５】
ＰＰ検出法におけるＰＲ（１、１、−１、−１）のビタビ復号器１５の状態遷移図は、図１３（ａ）に示すように構成される。
また、総和検出法におけるＰＲ（１、１、１、１）のビタビ復号器１５の状態遷移図は、図１３（ｂ）に示すように構成される。
図１３（ａ）と図１３（ｂ）とでは目標値のみが異なるビタビ復号器で構成することができるので、総和信号の復号器と、ＰＰ再生信号の復号器とで回路の共用化が可能である。
このため、総和信号をＰＲ（ｐ、ｑ、ｑ、ｐ）で等化した後、復号化するビタビ復号器と共通化でＰＰ再生信号を復号化できるので、回路構成が簡略化できる。
【００３６】
ピット記録領域２のピット長を基準ビットの２倍で記録された信号の再生する場合に限らず、これより以上の倍数で記録された信号の再生を行う場合も同様である。
更に、ピット記録領域２のビット長を基準ビットのｎ倍（ｎは自然数）にし、ビットクロックを１／ｎにし、ＰＲ特性に対応したビタビ復号器１５の状態遷移を用いると、記録再生装置４の回路構成が簡略される。
【００３７】
【発明の効果】
本発明によれば、プリピットを用いて各種の制御情報が記録されたピット記録領域と、案内溝を有するユーザー記録領域とを有し、前記ユーザー記録領域のトラックがグルーブ方式で形成され、前記プリピットと前記グルーブの位相深さが略同一であり、再生光源の波長をλとした時に、その位相深さがλ／１０以下であるので、ユーザー領域に大容量の情報を記録できる。
プリピットを用いて各種の制御情報が記録されたピット記録領域と、案内溝を有するユーザー記録領域とを有し、前記ユーザー記録領域のトラックがグルーブ方式で形成されている光情報記録媒体の記録再生装置において、前記ピット記録領域からの情報をタンジェンシャル・プッシュプル再生信号で検出し、前記ユーザー記録領域からの情報を総和信号で検出して、復号化する復号化手段を備えているので、回路構成が簡単になり、良好な復号化ができる。
【図面の簡単な説明】
【図１】本発明の実施形態の光情報記録媒体を示す平面図である。
【図２】図１に示す光情報記録媒体のユーザー記録領域とピット記録領域との境界近傍を示す拡大平面図である。
【図３】光情報記録媒体の記録再生装置を示す図である。
【図４】ピットの位相深さに対する再生信号出力を示す図である。
【図５】規格化空間周波数に対する信号出力を示す図である。
【図６】ＤＶＤの場合の再生信号振幅を示し、（ａ）はＰＰ検出法による再生信号振幅を示す図であり、（ｂ）は、総和信号法による再生信号振幅を示す図である。
【図７】ＰＰ検出法と総和信号法により得られる再生信号のパワースペクトルを示す図である。
【図８】タンジェンシャル・プッシュプル再生信号を復号化する復号化回路を示す図である。
【図９】ＰＲ（１、１、０、−１、−１）特性の信号のパワースペクトルを示す図である。
【図１０】図９のパワースペクトルを持つ波形のサンプリング点をプロットしたアイパターンを示す図である。
【図１１】ＰＲ（１、１、０、−１、−１）に好適なビタビ復号器の状態遷移図である。
【図１２】ＰＲ（１、１、−１、−１）特性の信号のパワースペクトルを示す図である。
【図１３】ビタビ復号器の遷移状態を示し、（ａ）はＰＰ再生信号におけるＰＲ（１、１、−１、−１）の状態遷移図であり、（ｂ）は総和信号におけるＰＲ（１、１、１、１）の状態遷移図である。
【符号の説明】
１…光情報記録媒体、２…ピット記録領域、３…ユーザー記録領域、４…記録再生装置、５…光源、６…コリメーターレンズ、７…偏光ビームスプリッタ、８…プリズム、９…対物レンズ，１０…シリンドリカルレンズ、１１…光検出器、１２…復号化回路（復号化手段）、１３…波形等化回路、１４…ＰＬＬ回路、１５…ビタビ復号器
【図１】
0004206620.tif 000002
【図２】
0004206620.tif 000003
【図３】
0004206620.tif 000004
【図４】
0004206620.tif 000005
【図５】
0004206620.tif 000006
【図６】
0004206620.tif 000007
【図７】
0004206620.tif 000008
【図８】
0004206620.tif 000009
【図９】
0004206620.tif 000010
【図１０】
0004206620.tif 000011
【図１１】
0004206620.tif 000012
【図１２】
0004206620.tif 000013
【図１３】
0004206620.tif 000014